(57)【要約】【課題】  携帯電話機に搭載されるような小型の液晶表示パネル自体からの異音が発生してもユーザに不快感を与えないようにする。【解決手段】  液晶表示パネルが発生する異音の周波数は、極性反転の周波数（極性反転の周期の逆数）の１／２である。フレーム周波数が６０Ｈｚである場合に、１フレームあたり３回の極性反転を行うときには、極性反転の周波数は１８０Ｈｚである。その結果、液晶表示パネルから発生する音の周波数は９０Ｈｚと十分低い周波数になる。また、１フレームあたり１回の極性反転を行うときには、極性反転の周波数は６０Ｈｚである。その結果、液晶表示パネルから発生する音の周波数は３０Ｈｚと十分低い周波数になる。【選択図】  図１
2006023352.tif 000002
【特許請求の範囲】
【請求項１】
複数のゲート電極と複数のソース電極とがマトリクス状に配置され携帯電話機に搭載される液晶表示装置を駆動する駆動方法であり、フレーム周波数にゲート電極数を乗算した周波数が１ｋ〜３０ｋＨｚとなる場合の駆動方法であって、
極性反転の周波数が１ｋＨｚ未満となるように極性反転駆動を行うことを特徴とする液晶表示装置の駆動方法。
【請求項２】
１フレームに１回極性反転を行う請求項１に記載の液晶表示装置の駆動方法。
【請求項３】
１フレームを３フィールドに分割し、フィールド毎に１回極性反転を行う請求項１に記載の液晶表示装置の駆動方法。
【請求項４】
複数のゲート電極と複数のソース電極とがマトリクス状に配置され携帯電話機に搭載される液晶表示装置を駆動する駆動方法であり、フレーム周波数にゲート電極数を乗算した周波数が１ｋ〜３０ｋＨｚとなる場合の駆動方法であって、
極性反転の周波数を、４０ｋＨｚ以下の各々の極性反転の周波数で液晶表示装置が発生する音のレベルのうち、最大の音のレベルとなるピークレベルに対して１５ｄＢ以上レベルが低下した音を発生させる周波数にすることを特徴とする液晶表示装置の駆動方法。
【発明の詳細な説明】
【技術分野】
【０００１】
本発明は、携帯電話機や携帯端末などの携帯機器に搭載される液晶表示装置の駆動方法に関する。
【背景技術】
【０００２】
液晶表示パネルを直流電圧で駆動すると寿命が短くなる等の理由で、一般に、液晶表示パネルを駆動する駆動方法として交流駆動が用いられる。ＴＦＴ（Thin Film Transistor）を用いた液晶表示パネルを交流駆動する場合には、線順次走査により走査される走査電極（ゲート電極）が切り替わる毎に、データ電極（ソース電極）に印加されるデータ電圧の極性を反転させる極性反転駆動を行う。また、特に、低消費電力が求められる携帯機器に搭載される液晶表示パネル等では、駆動電圧が大きくなることを防止するために、極性反転駆動において、コモン電極に印加されるコモン電圧の極性も反転させ、かつ、コモン電圧とデータ電圧とが逆極性になるように駆動する。
【０００３】
一般に携帯電話機に搭載されているスピーカの位置と液晶表示パネルの位置とは近いので、ユーザが液晶表示パネルを搭載した携帯電話機を使用するときに、液晶表示パネルがユーザの耳に近づいた状態で携帯電話機によって通話がなされる。
【０００４】
携帯電話機に搭載されるような小型の液晶表示装置において、異音が発生する場合がある（例えば、特許文献１参照。）。上記のように携帯電話機は液晶表示パネルがユーザの耳に近づいた状態で使用されるので、ユーザは、携帯電話機の使用中に異音によって不快感を感ずることがある。特許文献１では、液晶表示パネルが筐体に嵌め込まれた構造の液晶表示装置において、筐体の帯電を除去することによって異音の発生が緩和するとされている。
【０００５】
【特許文献１】特開２００３−２９５１６２号公報（段落０００６−０００７）
【発明の開示】
【発明が解決しようとする課題】
【０００６】
しかし、筐体に嵌め込まれない状態の液晶表示パネルでも異音が発生することがある。特許文献１に記載されているような方法では、液晶表示パネル自体から発生する異音を除去することはできない。
【０００７】
液晶表示パネルにおける種々の箇所に容量成分（以下、コンデンサともいう。）が存在する。コンデンサに対して充放電が行われるとコンデンサが伸縮することが知られている。そこで、異音発生の原因が、駆動の際の極性反転にもとづくコンデンサの伸縮が原因であると推定し、調査を行った。
【０００８】
液晶表示パネルが発生する異音を測定すると、その周波数は、図７に示すように、極性反転の周波数の１／２であることがわかった。例えば、ゲート電極数が１６０本である液晶表示パネルを、フレーム周波数６０Ｈｚで線順次駆動する場合には、極性反転の周波数は、６０×１６０＝９．６ｋＨｚである。その場合には、４．８ｋＨｚの異音が発生した。なお、フレーム周波数は、全てのゲート電極を１回走査（ゲート電圧をオン）する期間（フレーム）の逆数である。
【０００９】
図７に示すように、異音の周波数が極性反転の周波数の１／２であって、極性反転を波形表示した場合に、その波形の周波数と同じ周波数の異音が発生するのであるから、異音発生の原因は、駆動の際の極性反転にもとづくコンデンサの伸縮が原因であるとの推定は正しいといえる。以下、異音発生のメカニズムを説明する。
【００１０】
図８は、回路が形成されている基板側から見た液晶表示パネルの１画素を示す平面図である。ただし、図８には、上下の画素の位置も示されている。図８において、透明導電膜で形成された画素電極２１は、画素コンタクトホール２５を介してＴＦＴのドレイン電極２４に電気的に接続されている。画素電極２１は、オーミックコンタクト膜２７等を介してＴＦＴのゲート電極２２（ゲート配線部分を含む。）と対向している。また、ドレイン電極２４が形成されている層と同層に、ソース電極２３（ソース配線部分を含む。）が形成されている。さらに、画素電極２１の下層に補助容量２６（補助容量配線部分を含む。）が形成されている。なお、対向基板にコモン電極が形成されているが、図８では現れていない。
【００１１】
図９は、１画素の等価回路を示す回路図である。図９において、画素電極は、抵抗ＲlcとコンデンサＣlcとで示されている。補助容量配線の左端Ｃst_Lと右端Ｃst_Rの間には抵抗分Ｒcsが存在するが、上側の画素のゲート電極と補助容量配線との間に容量成分Ｃcsg が存在する。また、補助容量配線とコモン電極Ｖcom との間には容量成分Ｃcsc が存在する。
【００１２】
ソース配線の上端Source_Uと下端Source_Bとの間には抵抗分Ｒs が存在するが、ソース配線と画素電極との間には容量成分Ｃscが存在する。また、ソース電極（図９では、ソース配線の中央部Source_Cを代表して示す。）とドレイン電極およびゲート電極（図９では、ゲート配線の中央部Gate_Cを代表して示す。）との間に寄生容量（容量成分）ＣdsおよびＣgsが存在する。さらに、ソース配線と、補助容量配線およびゲート配線との間に、容量成分Ｃcrcs_L およびＣcrが存在する。また、補助容量配線およびドレイン電極と、図８では図示されていない右側の画素のソース電極との間に、容量成分Ｃcrcs_R およびＣdsn が存在する。
【００１３】
ゲート配線の左端Gate_Lと右端Gate_Rとの間には抵抗分Ｒg が存在するが、ゲート電極とドレイン電極との間に寄生容量Ｃgdが存在する。また、ゲート電極とコモン電極Ｖcom との間に、容量成分Ｃgcが存在する。このように、液晶表示パネル内には種々の容量成分が存在する。
【００１４】
コモン電極Ｖcom に印加されるコモン電圧の正極性電圧をＶcomH（例えば、＋４Ｖ程度）、負極性電圧をＶcomL（例えば、−１Ｖ程度）とすると、走査電極が切り替わるたびに、コモン電圧は、ＶcomLからＶcomHに、または、ＶcomHからＶcomLに変化する。ＶcomLからＶcomHに変化する場合には、容量成分ＣgcおよびＣcsg が充電され、ＶcomHからＶcomLに変化する場合には、容量成分ＣgcおよびＣcsg から放電する。すなわち、コモン電圧の極性が変化するたびに、容量成分ＣgcおよびＣcsgにおいて充放電が起きる。
【００１５】
また、液晶表示パネルの全面を黒表示させる場合を例にすると、コモン電圧がＶcomLからＶcomHに変化する場合には、データ電圧が最大電圧（例えば、＋４Ｖ程度）から最小電圧（例えば０Ｖ程度）に変化するので、容量成分Ｃcrcs_L、Ｃcrcs_RおよびＣscにおいて充電または放電が生じ、ＶcomHからＶcomLに変化する場合には、容量成分Ｃcrcs_L、Ｃcrcs_RおよびＣscにおいて放電または充電が生ずる。すなわち、コモン電圧の極性が変化するたびに、容量成分Ｃcrcs_L、Ｃcrcs_RおよびＣscにおいて充放電が起きる。
【００１６】
また、液晶表示パネルの全面を黒表示させる場合を例にすると、コモン電圧がＶcomLからＶcomHに変化する場合には、容量成分ＣgsおよびＣcrから放電し、ＶcomHからＶcomLに変化する場合には、容量成分ＣgsおよびＣcrが充電される。すなわち、コモン電圧の極性が変化するたびに、容量成分ＣgsおよびＣcrにおいて充放電が起きる。
【００１７】
以上のように、極性反転に起因して液晶表示パネルにおいてコンデンサの充放電が生ずるので、コンデンサの伸縮の周期は、コモン電圧の極性の変化の周期と一致する。そして、異音の周期（発生する音の周波数の逆数）は、コンデンサの伸縮の周期の２倍であるから、異音は、コモン電圧の極性の変化にもとづくコンデンサの充放電によって発生することが確かめられた。なお、コンデンサの１回の伸張および１回の収縮のそれぞれを、コンデンサの伸縮の１周期とする。
【００１８】
本発明は、上記のような知見にもとづいて、携帯電話機に搭載されるような小型の液晶表示パネル自体からの異音が発生してもユーザに不快感を与えないようにすることができる液晶表示装置の駆動方法を提供することを目的とする。
【課題を解決するための手段】
【００１９】
本発明では、上記のような知見にもとづいて、極性反転の周波数（極性反転の周期の逆数）を、液晶表示パネルから発生する音（異音）の周波数が人の可聴域の周波数から外れるように、または、人が聞きづらい周波数になるように設定する。なお、図７に示すように、発生する音の周波数はコモン電圧の極性の変化の周波数の１／２であるから、具体的には、人が聞きづらい音の周波数が５００Ｈｚ未満であるとすると、コモン電圧の極性の変化の周波数を１ｋＨｚ未満にすればよい。また、異音の周波数を２５０Ｈｚ以下とし、極性反転の周波数を５００Ｈｚ以下とすることにより、ユーザに違和感・不快感を与えることがなくなり、好ましい。
【００２０】
一般に２０〜２０ｋＨｚの音が可聴音とされているが（例えば、１９８８年電子情報通信学会発行の電子情報通信ハンドブック第１２８３頁参照）、３ｋ〜４ｋＨｚをピークとして、音の周波数が低くなるにつれて人の耳の感度は低くなることが知られている（同ハンドブック第１１５２頁参照）。よって、発生する音の周波数が５００Ｈｚ未満であれば、例えば携帯電話機のユーザには不快感を与えないと判断される。
【００２１】
本発明による液晶表示装置の駆動方法は、複数のゲート電極と複数のソース電極とがマトリクス状に配置され携帯電話機に搭載される液晶表示装置を駆動する駆動方法であり、フレーム周波数にゲート電極数を乗算した周波数が１ｋ〜３０ｋＨｚとなる場合の駆動方法であって、極性反転の周波数が１ｋＨｚ未満となるように極性反転駆動を行うことを特徴とする。例えば、１フレームに１回極性反転を行ったり、１フレームを３フィールドに分割し、フィールド毎に１回極性反転を行う。
【００２２】
また、本発明による他の態様の液晶表示装置の駆動方法は、極性反転の周波数を、４０ｋＨｚ以下の各々の極性反転の周波数で液晶表示装置が発生する音のレベルのうち、最大の音のレベルとなるピークレベルに対して１５ｄＢ以上レベルが低下する帯域の周波数にすることを特徴とする。
【発明の効果】
【００２３】
本発明によれば、液晶表示パネルが発生する音が、人が聞きづらい周波数の音になるように、極性反転の周波数を設定することができるので、液晶表示パネル自体から異音が発生してもユーザに不快感を与えないようにすることができる。
【発明を実施するための最良の形態】
【００２４】
以下、本発明の実施の形態を図面を参照して説明する。
【００２５】
（実施の形態１）
図１は、携帯機器に搭載可能であって本発明が適用される液晶表示パネルのサイズと、極性反転の周波数（以下、極性反転周波数という。）との関係の一例を示す説明図である。図１には、ソース電極数が１２８［×３（＝ＲＧＢ）］〜２４０［×３（＝ＲＧＢ）］本であり、ゲート電極数が１３０〜３２０本の小型の液晶表示パネルが例示されている。フレーム周波数が６０Ｈｚであるとすると、フレーム周波数×ゲート電極数は、７．８〜１９．２ｋＨｚである。なお、この実施の形態でも、極性反転駆動に際して、データ電圧の極性を反転させるとともに、コモン電圧の極性も反転させ、かつ、コモン電圧とデータ電圧とが逆極性になるように駆動する。
【００２６】
図１の例示では、フレーム周波数が６０Ｈｚである場合に、１フレームあたり３回の極性反転を行うときには、極性反転周波数は１８０Ｈｚである。その結果、液晶表示パネルから発生する音の周波数は９０Ｈｚと十分低い周波数になる。また、１フレームあたり１回極性反転を行うときには、極性反転周波数は６０Ｈｚである。その結果、液晶表示パネルから発生する音の周波数は３０Ｈｚと十分低い周波数になる。
【００２７】
図２は、１フレームあたり１回極性反転を行う駆動方法を説明するための説明図である。図２に示す例では、ゲート電極数を１６０本とする。図２（Ａ）に示す例では、奇数フレームでは、コモン電極を正極性電圧ＶcomHで駆動し、偶数フレームでは、コモン電極を負極性電圧ＶcomLで駆動する。従って、図２（Ｂ）に示すように、フレームが切り替わるたびに、すなわち、１フレームあたり１回極性反転が行われる。
【００２８】
図３は、１フレームあたり３回極性反転を行う駆動方法を説明するための説明図である。図３に示す例では、ゲート電極数を１６０本とする。液晶表示パネルにおいて、ゲート電極は、上側から順に、（１）本目、・・・、（１６０）本目と、空間的に配列されているとする。図３（Ａ）に示す例は、奇数フレームでは、まず、コモン電極を正極性電圧ＶcomHで駆動した状態で、［１＋（３×ｎ）］本目（ｎ＝０〜５３の整数）のゲート電極を、順に走査する。次いで、コモン電極を負極性電圧ＶcomLで駆動した状態で、［２＋（３×ｎ）］本目（ｎ＝０〜５２の整数）のゲート電極を、順に走査する。そして、コモン電極を正極性電圧ＶcomHで駆動した状態で、［３＋（３×ｎ）］本目（ｎ＝０〜５２の整数）のゲート電極を、順に走査する。なお、上述したように、コモン電圧の極性反転とともに、ソース電極に印加されるデータ電圧も極性反転されている。
【００２９】
偶数フレームでは、各画素を奇数フレームとは逆極性で駆動する。すなわち、コモン電極を負極性電圧ＶcomLで駆動した状態で、［１＋（３×ｎ）］本目（ｎ＝０〜５３の整数）のゲート電極を、順に走査する。次いで、コモン電極を正極性電圧ＶcomHで駆動した状態で、［２＋（３×ｎ）］本目（ｎ＝０〜５２の整数）のゲート電極を、順に走査する。そして、コモン電極を負極性電圧ＶcomLで駆動した状態で、［３＋（３×ｎ）］本目（ｎ＝０〜５２の整数）のゲート電極を、順に走査する。
【００３０】
図３（Ａ）に示す駆動方法によると、図３（Ｂ）に示すように、１フレームあたり３回極性反転が行われる。換言すれば、１フレームが３フィールドに分割され、フィールド毎に１回極性反転が行われていることになる。各フィールド内では、極性反転は行われない。
【００３１】
なお、図３（Ａ）に示す駆動方法は一例であって、１フレームあたり３回の極性反転が行えるのであれば、図３（Ａ）に示すような走査順に限定されない。
【００３２】
この実施の形態では、液晶表示パネルから発生する音の周波数を十分小さくするように、極性反転周波数が選定されている。すなわち、人が聞きづらい音の周波数になるように、極性反転周波数が設定されている。
【００３３】
なお、図１では、フレーム周波数×ゲート電極数が、７．８〜１９．２ｋＨｚである場合を例示したが、本実施の形態の駆動方法は、フレーム周波数×ゲート電極数が、１ｋ〜３０ｋＨｚ（１ｋＨｚ以上３０ｋＨｚ以下）程度になる比較的小型の液晶表示パネルに適用可能である。また、図１では、発生する音の周波数が９０Ｈｚまたは３０Ｈｚになる場合を例示したが、上述したように、発生する音の周波数が５００Ｈｚ未満であればユーザには不快感を与えないと判断されることから、極性反転周波数を１ｋＨｚ未満の程度にまでしてもよい。
【００３４】
図４は、本発明による駆動方法を実現するための駆動回路の一構成例を示すブロック図である。図４に示す例では、ＴＦＴがマトリクス状に配され、画素電極とコモン電極との間に液晶が挟持されたＴＦＴ型の液晶表示パネル１０が用いられている。液晶表示パネル１０を駆動する駆動回路は、液晶表示パネル１０における同列のＴＦＴのソースに接続されるデータ電極としての各ソース電極（ソース配線）が繋がれたソースドライバ（データ電極ドライバ）１２、液晶表示パネル１０における同行のＴＦＴのゲートに接続される走査電極としての各ゲート電極（ゲート配線）が繋がれたゲートドライバ（走査電極ドライバ）１３、データ電圧を作成するための電圧をソースドライバ１２に供給するとともに、選択電圧（オン電圧）と非選択電圧（オフ電圧）とを作成するための電圧をゲートドライバ１３に供給する電源回路１４が設けられている。
【００３５】
また、この実施の形態では、ゲートドライバ１３が内蔵するコモン電圧出力部１３１が、液晶表示パネル１０のコモン電極（コモン配線）に正極性電圧ＶcomHまたは負極性電圧ＶcomLを印加する。従って、電源回路１４からゲートドライバ１３に、正極性電圧ＶcomHおよび負極性電圧ＶcomLを作成するための電圧が供給される。
【００３６】
制御回路としてのコントローラ１１は、駆動回路の外部（例えば、携帯電話機のＭＰＵ）から入力される画像データを一時記憶するフレームメモリ１１１を有し、ソースドライバ１２およびゲートドライバ１３に、フレームの開始を示す信号であるＦＬＭ（First Line Marker ）信号を出力するとともに、各選択期間（１本のゲート線にオン電圧としての選択電圧が印加される期間）毎に、ＬＰ（Latch Pulse ）信号を出力する。さらに、コントローラ１１は、ソースドライバ１２およびゲートドライバ１３に、極性を示す信号であるＭ信号を出力する。Ｍ信号は、各選択期間毎に出力されるとする。
【００３７】
ゲートドライバ１３は、カウンタを内蔵し、ＦＬＭ信号が入力されるとカウンタをリセットし、ＬＰ信号が入力されるとカウンタの値を＋１する。そして、カウンタの値が示すゲート線にＴＦＴのゲートを導通状態にさせるための選択電圧を印加し、他のゲート線にＴＦＴのゲートを遮断状態にさせるための非選択電圧を印加する。また、ゲートドライバ１３は、Ｍ信号が正極性を示していれば正極性電圧ＶcomHをコモン線に印加し、Ｍ信号が負極性を示していれば負極性電圧ＶcomLをコモン線に印加する。
【００３８】
ソースドライバ１２は、ＬＰ信号が入力されると、データ信号をラッチするとともに、ラッチしているデータ信号に応じたデータ電圧をソース線に印加する。ゲートドライバ１３はＬＰ信号に同期してゲート線に選択電圧を印加するので、ソースドライバ１２は、ゲート線への選択電圧の印加に同期して各ソース線にデータ電圧を印加することになる。このとき、Ｍ信号が正極性を示していれば、正極性のコモン電圧に対応する極性のデータ信号（負極性のデータ電圧）を印加し、Ｍ信号が負極性を示していれば、負極性のコモン電圧に対応する極性のデータ信号（正極性のデータ電圧）を印加する。
【００３９】
以上のように構成された駆動回路において、例えば、図３（Ａ）に示す駆動方法を実現する場合には、ゲートドライバ１３は、図３（Ａ）に示す走査順に従って、ゲート電極を駆動する。また、コモン電圧出力部１３１は、奇数フレームの前半および後半（それぞれ１フレームの約１／３の期間）においてコモン配線に正極性電圧ＶcomHを印加し、中盤（１フレームの約１／３の期間）においてコモン配線に負極性電圧ＶcomLを印加する。また、偶数フレームでは、前半および後半においてコモン配線に負極性電圧ＶcomLを印加し、中盤においてコモン配線に正極性電圧ＶcomHを印加する。
【００４０】
（実施の形態２）
次に、本発明の第２の実施の形態について説明する。図５は、極性反転周波数を、４０ｋＨｚ以下において様々に変更して液晶表示パネルから発生する音をマイクロフォンで集音したときの音量レベルの測定結果を示す説明図である。図５において、横軸は音の周波数を示し、縦軸は音量レベルを示す。図５において、−７０ｄＢが、バックグラウンドノイズレベル（液晶表示パネルから音が発生していないときの音量レベル）を示す。なお、発生する音の周波数の範囲が２０ｋＨｚ以下であるということは、極性反転周波数が４０ｋＨｚ以下であることを示す。
【００４１】
図５に示すように、周波数が異なると音量レベルが変化し、音量レベルが低い周波数と音量レベルが高い周波数とが存在することがわかる。図５に示す測定結果では、１０ｋＨｚ程度の音は最も高い音量レベルを呈し、８ｋＨｚおよび１２ｋＨｚ程度の音は低い音量レベルを呈し、１０ｋＨｚ程度の音の音量レベルをピークレベルとすると、８ｋＨｚ帯域および１２ｋＨｚ帯域の音の音量レベルは、ピークレベルに対して１５ｄｂ以上低下していることがわかる。そして、８ｋＨｚおよび１２ｋＨｚ程度の音の音量レベル（バックグラウンドノイズレベルに対して１０ｄＢ程度高いレベル）は、人に対して気にならない程度であることを確認した。
【００４２】
上述したように、液晶表示パネルから発生する音の周波数は、極性反転周波数の１／２である。従って、図５に示す例では、極性反転周波数を、１６ｋＨｚや２４ｋＨｚに設定すれば、液晶表示パネルから発生する音の音量レベルが下がる。
【００４３】
図６は、極性反転周波数を、ピークレベルに対して１５ｄＢ以上レベルが低下する音を発生させる周波数、すなわち１６ｋＨｚや２４ｋＨｚに設定するための設定例を示す説明図である。各々の液晶表示パネルのサイズは、図１に示されたものと同じである。ソース電極数が１７６本であってゲート電極数が２２０本である液晶表示パネルについては、フレーム周波数を７２Ｈｚにして１フレームにおける極性反転回数を２２０回（すなわちライン反転駆動を行う。）にすれば、極性反転周波数をほぼ１６ｋＨｚにすることができる。また、ソース電極数が１３０本であってゲート電極数が１３０本である液晶表示パネルについては、フレーム周波数を１２０Ｈｚにして１フレームにおける極性反転回数を１３０回にすれば、極性反転周波数をほぼ１６ｋＨｚにすることができる。なお、この実施の形態でも、極性反転駆動に際して、データ電圧の極性を反転させるとともに、コモン電圧の極性も反転させ、かつ、コモン電圧とデータ電圧とが逆極性になるように駆動する。
【００４４】
また、ソース電極数が２４０本であってゲート電極数が３２０本である液晶表示パネルについては、フレーム周波数を７５Ｈｚにして１フレームにおける極性反転回数を３２０回にすれば、極性反転周波数をほぼ２４ｋＨｚにすることができる。そして、ソース電極数が１２８本であってゲート電極数が１６０本である液晶表示パネルについては、フレーム周波数を１００Ｈｚにして１フレームにおける極性反転回数を１６０回にすれば、極性反転周波数をほぼ１６ｋＨｚにすることができる。
【００４５】
以上のように、この実施の形態では、液晶表示パネルから発生する音の音量が最大になる場合に比べて１５ｄＢ以上音量が低下するように極性反転周波数を選定する。すなわち、極性反転周波数を、液晶表示パネル固有の振動が発生しにくい周波数に選定する。換言すれば、極性反転周波数を、各々の極性反転の周波数で液晶表示パネルが発生する音のレベルのうち、ピークレベルに対して１５ｄＢ以上レベルが低下した音の周波数の２倍にする。その結果、液晶表示パネルから発生する音がユーザに不快感を与えないようにすることができる。そして、この実施の形態では、１フレームにおける極性反転回数とフレーム周波数とのうちのいずれか、または双方をずらすので、極性反転周波数の設定の自由度は高い。なお、フレーム周波数をずらすとは、基準となるフレーム周波数（例えば、ＭＰＵからの画像データの入力についてのフレーム周波数）から変えることである。また、極性反転回数をずらすとは、ライン反転駆動が行われ場合の極性反転回数から変えることである。
【００４６】
この実施の形態でも、駆動回路として図４に例示された回路を使用することができる。例えば、ソース電極数が１７６本であってゲート電極数が２２０本である液晶表示パネル１０についてフレーム周波数を７２Ｈｚにして１フレームにおける極性反転回数を２２０回にする場合、コントローラ１１は、ＦＬＭ信号を７２Ｈｚで出力し、ＬＰ信号、データ信号およびＭ信号を（７２×２２０）Ｈｚで出力する。
【００４７】
また、図５に示す測定結果は特定の液晶表示パネルについての測定結果であり、異なる液晶表示パネルを対象として測定を行えば、測定結果は変わりうる。しかし、ピークレベルに対して１５ｄＢ以上音量レベルが低下している音の周波数はいずれの液晶表示パネルにおいても存在していると考えられるので、各々の機種の液晶表示パネルに対して、ピークレベルに対して１５ｄＢ以上音量が低下するように極性反転周波数を選定すればよい。
【図面の簡単な説明】
【００４８】
【図１】液晶表示パネルのサイズと極性反転周波数との関係の一例を示す説明図。
【図２】１フレームあたり１回極性反転を行う駆動方法を説明するための説明図。
【図３】１フレームあたり３回極性反転を行う駆動方法を説明するための説明図。
【図４】本発明による駆動方法を実現するための駆動回路の一構成例を示すブロック図。
【図５】音量レベルの測定結果を示す説明図。
【図６】極性反転周波数を１６ｋＨｚや２４ｋＨｚに設定するための設定例を示す説明図。
【図７】液晶表示パネルが発生する音と極性反転の周波数との関係を説明するための説明図。
【図８】液晶表示パネルの１画素を示す平面図。
【図９】１画素の等価回路を示す回路図。
【符号の説明】
【００４９】
１０    液晶表示パネル
１１    コントローラ
１２    ソースドライバ
１３    ゲートドライバ
１４    電源回路
１１１  フレームメモリ
１３１  コモン電圧出力部
【図１】
2006023352.tif 000003
【図２】
2006023352.tif 000004
【図３】
2006023352.tif 000005
【図４】
2006023352.tif 000006
【図５】
2006023352.tif 000007
【図６】
2006023352.tif 000008
【図７】
2006023352.tif 000009
【図８】
2006023352.tif 000010
【図９】
2006023352.tif 000011